(57)【要約】【課題】媒体の端部をずらすための機構を必要とせず、誤計数の可能性を小さくした媒体取扱装置を提供することを目的とする。【解決手段】積層される証書１０の端部に計数マーク１１を設ける。計数マーク１１は、証書１０の素地部１０ａの色と光学的に異なる色からなる。光学センサ１６により、積層されている証書１０に光を照射し、証書１０の計数マーク１１からの反射光を受光した場合の出力３３ｂと証書１０の素地部１０ａからの反射光を受光した場合の出力３３ｃに基づいて証書１０の枚数を計数する。【選択図】  図２
2007293712.tif 000002
【特許請求の範囲】
【請求項１】
複数の媒体を積層した積層媒体に対して積層方向に光学センサを移動して積層媒体の枚数を計数する媒体取扱装置において、
前記媒体の前記光学センサ側の側面を、素地部と、該素地部の色と光学的に異なる色からなる着色域とから構成し、
前記光学センサにより前記積層媒体に光を照射し、前記積層媒体の前記着色域からの反射光を受光したときの光学センサからの第１の出力信号と、前記積層媒体の前記素地部からの反射光を受光したときの光学センサからの第２の出力信号とに基づいて前記積層媒体の枚数を計数することを特徴とする媒体取扱装置。
【請求項２】
前記着色域は、前記積層媒体の前記光学センサ側の側面における積層方向の端部に設けられる請求項１記載の媒体取扱装置。
【請求項３】
前記第１の出力信号のレベルと前記第２の出力信号のレベルとの間にスライスレベルを設け、第１の出力信号の回数を計数することにより前記媒体の枚数を計数する請求項１又は２記載の媒体取扱装置。
【請求項４】
前記第１の出力信号と該第１の出力信号との間の時間間隔が、最小の時間間隔に対して所定量大きい場合に、前記積層媒体が不揃いであるか又は異種類の媒体が混在していると判定する手段を有する請求項３記載の媒体取扱装置。
【請求項５】
前記着色域は、前記媒体の種類に応じて前記積層方向と直交する方向に異なる位置に設けられる請求項１記載の媒体取扱装置。
【請求項６】
前記光学センサは前記媒体の種類に応じて前記積層方向と直交する方向に位置を変える請求項５記載の媒体取扱装置。
【請求項７】
複数積層された状態で積層方向に光学センサを移動して枚数を計数される媒体において、
前記光学センサ側の側面に、素地部の色と光学的に異なる色からなる着色域を設けたことを特徴とする媒体。
【発明の詳細な説明】
【技術分野】
【０００１】
本発明は、紙幣や証書などの媒体を複数枚積層した状態で媒体の枚数を計数する媒体取扱装置、および該媒体取扱装置に使用される媒体に関する。
【背景技術】
【０００２】
従来、紙幣などの媒体を計数する方法として、例えば紙幣の場合は１枚ずつ繰出し搬送させ、搬送の途中で光学センサで紙幣の１枚ずつの通過を検出して計数を行う方法と、媒体を複数枚積層した状態で、媒体の端部に発生するずれを光学センサで検出することにより計数する方法がある。後者の計数方法を示す例として、例えば、特開平８−７７２６８号公報に開示されるものがある。
【０００３】
上記公報に開示される技術は、媒体として通帳を計数するものである。通帳は、例えば証書などに較べて背部の形状が丸みを帯び、背部の頂部とその両側ではセンサからの距離が異なる。したがって上記文献に開示される技術は、通帳の計数に適するもので、証書の計数には不向きであった。そこで証書などの媒体を積層した状態で計数するには、媒体の端部をずらすことにより端部に陰影をつけて光学センサで検出するようにしている。図１３に従来の媒体（証書）の計数方法を示す。以下、図にしたがって説明する。
【０００４】
図１３において、カセット１は媒体２を集積状態で収納するもので、傾斜部３ａを有する積載板３、積載板３の水平部３ｂを上方に押圧する媒体プレス部４および媒体２を計数するための光学センサ５が設けられている。媒体２は複数枚積載板３上に積載されている。媒体２の上端部２ａは積載板３の水平部３ｂ上に載置され、上方からアッパ部材６で押さえられている。即ち、上端部２ａはアッパ部材６と媒体プレス部４で動かないように固定されている。媒体２は積載板３の傾斜部３ａ上に載置されることにより、下端部２ｂにずれを生じる。光学センサ５は駆動ベルト１４により上下移動可能に設けられている。
【０００５】
図１４は従来の計数方法を示す説明図である。図１４において、光学センサ５は、発光素子部５ａと受光素子部５ｂとから成り、発光素子部５ａから出力した光が媒体２の端部２ｂで反射し、その反射光を受光素子部５ｂで受光する。光学センサ５の出力信号の波形８を右側に示す。光学センサ５の出力は、媒体２と媒体２間に生じる凹凸に応じて図に示すような出力幅Ｗで振幅する。即ち、媒体２からの反射光を受光した場合は出力レベルは高くなり、媒体２と媒体２の隙間からの反射光を受光した場合は出力レベルは低くなる。
【０００６】
媒体２の枚数を計数するためには、媒体２と媒体２間の隙間とを区別するためのスライスレベル７を設定する。光学センサ５の出力がスライスレベル７より高い場合は媒体２ありと判定し、センサ５の出力がスライスレベル７より低い場合は媒体２間の隙間であると判定して、媒体２の枚数を計数する。
【特許文献１】特開平８−７７２６８号公報
【発明の開示】
【発明が解決しようとする課題】
【０００７】
しかしながら上記従来の媒体計数装置においては、媒体の端部をずらすための機構を必要とするという問題がある。またたとえ媒体の端部をずらしたとしても、媒体の厚さが薄い場合には、高分解能の光学センサを用いても、媒体間の隙間や凹凸が微小であるので正確に積層媒体の枚数を計数することが困難であるという問題があった。
【０００８】
そこで本発明は、媒体に着色域を設けることにより、媒体の端部をずらすための機構を必要とせず、誤計数の可能性を小さくした媒体取扱装置を提供することを目的とする。
【課題を解決するための手段】
【０００９】
上記課題を解決するために本発明は、複数の媒体を積層した積層媒体に対して積層方向に光学センサを移動して積層媒体の枚数を計数する媒体取扱装置において、前記媒体の前記光学センサ側の側面を、素地部と、該素地部の色と光学的に異なる色からなる着色域とから構成し、前記光学センサにより前記積層媒体に光を照射し、前記積層媒体の前記着色域からの反射光を受光したときの光学センサからの第１の出力信号と、前記積層媒体の前記素地部からの反射光を受光したときの光学センサからの第２の出力信号とに基づいて前記積層媒体の枚数を計数することを特徴とするものである。
【発明の効果】
【００１０】
上記構成を有する本発明によれば、媒体の前記光学センサ側の側面が、媒体の素地部と、該素地部の色と光学的に異なる色の着色域からなるように構成したことにより、素地部における光学センサの出力レベルと着色域における光学センサの出力レベルに差が生じ、正確に枚数を計数することが可能になる。
【発明を実施するための最良の形態】
【００１１】
以下、本発明の実施の形態を図面にしたがって説明する。各図面に共通する要素には同一の符号を付す。図１は実施の形態の証書を示す斜視図、図２は実施の形態の証書発行装置の要部を示す概略側面図である。なお以下に説明する実施の形態では、媒体取扱装置として証書発行装置を例にして説明する。したがって証書を媒体として説明する。
【００１２】
図１において、本実施の形態において計数対象となる証書１０には、証書１０の素地部１０ａの色と光学的に異なる色からなる計数マーク（着色域）１１が印刷もしくは塗布されている。例えば、素地部１０ａの色が白色系である場合は、計数マーク１１の色は黒色系の色に着色される。計数マーク１１は証書１０の計数側（図における右側）１０ｂの積層方向（厚さ方向）の端部に形成されており、従って複数の証書１０が積層された状態においては、計数側１０ｂには計数マーク１１と素地部１０ａが積層方向に交互に現れる。
【００１３】
図２は複数の証書１０がカセットに収納されている状態を示す。図２において、カセット１２には証書１０が集積状態で収納されている。証書１０はこの積層状態で計数されるが、証書１０に設けられた計数マーク１１は計数側（図における右側）に位置づけられ、また各証書１０において計数マーク１１が上部に位置するように証書１０が積層されている。
【００１４】
カセット１２の上部の計数側１２ａには反射板１３が取付けられている。反射板１３は反射率の高い白色系の色の素材で形成されているか又は塗装が施されている。またカセット１２の下部には媒体押さえ１４が移動可能に配設されている。媒体押さえ１４の下部には図示しないスプリングが配設されており、このスプリングにより媒体押さえ１４を介して証書１０が上方に押圧されている。媒体押さえ１４の計数側の端部１４ａには反射板１５が設けられている。この反射板１５も上記反射板１３と同様に、反射板１３は反射率の高い白色系の色の素材で形成されているか又は塗装が施されている。
【００１５】
積層された証書１０の計数側１０ｂには光学センサ１６が移動可能に設けられている。光学センサ１６は発光素子部１６ａと受光素子部１６ｂにより構成され、発光素子部１６ａから証書１０に向けて発せられた光が証書１０の素地部１０ａまたは計数マーク１１に当たって反射し、反射した光を受光素子部１６ｂで受光する。光学センサ１６は図示しない機構により証書１０の積層方向に、例えば矢印Ａ方向に移動する。
【００１６】
図３は実施の形態の証書発行装置の概略構成を示すブロック図である。図３において、証書発行装置２０には、証書収納部２１、ホッパ部２２、証書搬送路２３、証書処理部２４、スタック部２５、リジェクト部２６、操作表示部２７、記憶部２８および制御部２９が設けられている。また証書発行装置２０は通信回線３０を介してホストサーバ３１に接続されている。
【００１７】
証書収納部２１には、上述のカセット１２が設けられており、カセット１２内に証書１０が図示しない繰出し手段により証書搬送路２３に１枚ずつ繰出し可能に収納されている。また証書１０の上部には光学センサ１６が矢印Ａ−Ｂ方向に移動可能に設けられている。カセット１２から繰出された証書１０はホッパ部２２を搬送され、証書搬送路２３へ送られる。
【００１８】
証書処理部２４は、証書搬送路２３に沿って配置された磁気ヘッド、印字手段等を有し、証書搬送路２３に送り込まれた証書１０はこの証書処理部２４に搬送され、磁気ストライプに対する磁気データの書き込み及び読み取り、所定情報の印字処理等が行われ、必要なすべての処理が終了した後、証書１０はスタック部２５に搬送され、発行される。また処理中にエラーが発生し、制御部２９で証書２に問題があると判定された場合、その証書１０はリジェクト部２６に搬送されて保管される。
【００１９】
操作表示部２７は、ＬＣＤ等の表示部と、この表示部上に配置されたオペレータ操作用のタッチパネルにより構成されている。記憶部２８は、証書収納部２１に収納されている証書１０の種別や残数あるいは種別の識別に用いる情報等を記憶する部分で、記憶部２８には証書発行時や証書の補充時等に操作表示部２７に表示する情報、あるいは制御プログラム等も格納されている。
【００２０】
制御部２９は、記憶部２８に記憶された制御プログラムに従ってホッパ部２２、証書搬送路２３、証書処理部２４、スタック部２５、リジェクト部２６、操作表示部２７等を制御し、証書の発行処理を実行する。また制御部２９は、外部インタフェースを有し、証書発行の際、必要に応じて外部インタフェースにより通信回線３０を介してホストサーバ３１と接続し、ホストサーバ３１とデータの授受を行って証書処理部２４に対して証書１０への印字や磁気記録を実行させると共に、証書発行の際、証書収納部２１から繰出された証書１０をカウントして記憶部２８に記憶されている証書１０の残数を更新する。
【００２１】
ホストサーバ３１は、顧客の氏名、電話番号、支店番号、口座種別、口座番号等の顧客情報等を記憶するデータベースを管理する装置である。
【００２２】
次に実施の形態の動作を図４のフローチャートにしたがって説明する。なおここでは、証書の残数を確認する動作を説明する。本実施の形態では、証書の新規装填時や補充時あるいは指定の時刻に、自動残数計数処理を行う。ここでは証書の補充を行った後、自動残数計数処理を行う場合について説明する。
【００２３】
証書発行装置２０の証書収納部２１に収納された証書１０の残数が少なくなると、オペレータは証書収納部２１内のカセット１２内に補充する証書１０を載置し、媒体押さえ１４で証書１０をカセット１２の他方の側面に押し付け、証書１０の補充を行う。オペレータは補充操作が完了したことを知らせるために図示しないボタンを押下する。またこのときオペレータは操作表示部２７から補充枚数を入力する。これにより制御部２９は、自動残数計数処理を開始する（ステップ１）。
【００２４】
自動残数計数処理が開始されると、まず制御部２９は証書収納部２１に対して計数指示を出す（ステップ２）。このとき制御部２９はすべての証書収納部２１に対して計数指示を出す。計数指示が出されると、証書収納部２１では計数動作を開始する（ステップ３）。
【００２５】
次に制御部２９は図示しないモータを駆動して光学センサ１６を図２に示す矢印Ａ方向に移動させるとともに、光学センサ１６を駆動する。これにより光学センサ１６は、図２における証書１０の計数マーク１１に対向した位置で下方に移動しながら発光素子部１６ａから証書１０に対して光を照射すると共に、証書１０から反射した光を受光素子部１６ｂで受光する。光学センサ１６からの出力信号は制御部２９に入力される。
【００２６】
光学センサ１６の発光素子部１６ａから発せられる光はまず上部の反射板１３に照射され、反射板１３からの反射光が光学センサ１６の受光素子部１６ｂに受光される。このときの光学センサ１６の出力信号を図２の右側に出力波形３３ａとして示す。反射板１３は反射率が高いので、出力レベルの高い出力信号となる。次に光学センサ１６から発せられる光は、積層されている最上部の証書１０に設けられた計数マーク１１に照射され、計数マーク１１からの反射光が受光素子部１６ｂに受光される。このときの光学センサ１６の出力信号を図２の右側に出力波形３３ｂとして示す。計数マーク１１は反射率が低いので、出力レベルの低い出力信号となる。
【００２７】
次に光学センサ１６から発せられる光は、積層されている最上部の証書１０の素地部１０ａに照射され、素地部１０ａからの反射光が受光素子部１６ｂに受光される。このときの光学センサ１６からの出力信号を図２の右側に出力波形３３ｃとして示す。証書１０の素地部１０ａは反射率が比較的高いので、このときは出力レベルの比較的高い出力信号となる。
【００２８】
光学センサ１６が矢印Ａ方向に移動するにつれて、光学センサ１６は出力波形３３ｂと出力波形３３ｃの交互出力を繰り返す。最後に光学センサ１６から発せられる光は媒体押さえ１４に設けられた反射板１５に照射され、反射板１５からの反射光が受光素子部１６ｂに受光される。このときの光学センサ１６からの出力信号を図２の右側に出力波形３３ｄとして示す。反射板１４は反射率が高いので、このときは出力レベルの高い出力信号となる。
【００２９】
以上のように光学センサ１６からの出力信号は、図２の右側に出力波形３３ｂ、３３ｃで示すように、証書１０の素地部１０ａからの反射光を受光した場合の出力レベルと計数マーク１１からの反射光を受光した場合の出力レベルとで差が生じる。したがって、出力波形３３ｂの出力レベルと出力波形３３ｃの出力レベルとの間にスライスレベル３４を設定し、スライスレベル３４より出力レベルが高い場合には証書１０の素地部１０ａが検出されているものとし、スライスレベル３４より出力レベルが低い場合には計数マーク１１が検出されているものとすることができる。この検出に基づいて制御部２９は証書１０の枚数を計数する。
【００３０】
以上の自動残数計数処理が終了すると（ステップ４）、制御部２９は次に、予め記憶部２８に格納されている記憶値とオペレータの補充時の入力値との合計値と、上記の計数処理で計数した計数値とを比較する（ステップ５）。比較の結果、両者が一致しない場合（ステップ６）、ステップ３へ戻り、自動残数計数処理を再度行う。なお、リトライの自動残数計数処理は所定の回数だけ行われる（ステップ７）。
【００３１】
ステップ６において計数値が記憶値と入力値の合計と一致した場合、またはリトライの自動残数計数処理を所定回数行った場合、次に制御部２９は、本動作が証書補充における計数処理か又は証書の新規装填時あるいは指定の時刻における計数処理かを判断し（ステップ８）、証書の新規装填時あるいは指定の時刻における計数処理である場合は、ステップ１１へ移行し、記憶部２８に新たに計数した計数値を残数として格納する。
【００３２】
証書補充における計数処理である場合、ステップ５における比較結果を操作表示部２７に表示する（ステップ９）。表示例を図５に示す。図５は比較結果の表示例を示す説明図である。図５に示すように、証書１０の残数表示は証書１０の種類ごとに行われ、また補充前の残数（「前残」）および今回補充した枚数（オペレータが補充枚数として入力した枚数）が分かるように表示される。オペレータはこの表示を見て補充枚数ならびに残数を確認し、間違いないことを確認した場合、「登録」キーを押下する。「登録」キーが押下されると、制御部２９は証書１０の現在の収納枚数を記憶部２８に格納する（ステップ１１）。
【００３３】
図６に計数値が不一致の場合の比較結果表示例を示す。図６において、操作表示部２７には、「証書枚数の計数不一致が発生しました」という文言、計数不一致が発生した証書１０の種類（「定期証書」）および計数不一致が発生した証書１０を収納する収納カセット１２の番号（「Ｎｏ．１」）、補充前の残数（「前残」）、補充枚数（オペレータが補充枚数として入力した枚数）および計数結果（枚数）等が表示される。オペレータが、例えば計数不一致の発生した証書１０の収納されているカセット１２内の証書１０の枚数等を確認した後、「確認」キーを押下すると、制御部２９は上述のステップ３の自動残数計数処理以降の処理を行う（ステップ１２）。
【００３４】
図７は指定の時刻に自動残数計数処理を行った場合の計数結果の表示例を示す説明図である。図７において、操作表示部２７には、証書１０の種類ごとに計数した枚数（「収納枚数」として表示される枚数）が表示されるとともに、本日発行した証書１０の枚数が種類ごとに表示される。指定の時刻における残数計数の結果は、このようにオペレータが確認出来るようにする他に、記憶部２８に計数の時刻とともに格納されるが、さらにホストサーバ３１に送信してホストサーバ３１に保管するようにしてもよい。以上により証書１０の残数を確認する動作を終了する。
【００３５】
以上のように本実施の形態においては、光学センサ１６により証書１０の枚数を計数する際に、証書１０に計数マーク１１を設け、計数マーク１１における光学センサ１６の出力レベルと証書１０の素地部１０ａにおける光学センサ１６の出力レベルとの差が大きくなるようにしたので、証書（媒体）の端部をずらす機構を必要とすることなく、証書１０と証書１０の間に隙間が無いかあるいは微小な場合であっても、また証書１０の厚さが薄い場合であっても、証書１０の計数を確実に行うことができる効果が得られる。
【００３６】
ところで証書収納部２１に証書１０を収納する場合、通常１つのカセット１２には同一種類の証書１０が正しい向きで収納される。しかしながら１つのカセット１２に他の種類の証書１０が紛れ込んでいたり、正しい向きで収納されていない証書１０があったりする場合がある。本実施の形態はこのような場合にも対応可能で、異常な収納状態を検出することができるとともに、他の種類の証書が紛れ込んでいる場合でも計数可能である。以下これらの状態の検出および計数について説明する。
【００３７】
図８は異常な収納状態（積層された証書の中に正しい向きで収納されていない証書がある状態）の証書の積層状態を示す斜視図である。図８において、積層されている各証書１０はすべて同一種類の証書であり、各証書１０には計数マーク１１が施されているが、下から２番目の証書１０は裏返しで積層されている。そのため下から２番目の証書１０の計数マーク１１は、計数側１０ｂにおける、正常に収納されている証書１０の計数マーク１１の反対側に位置している。
【００３８】
図９は異常な収納状態の証書を計数する動作を示す動作説明図である。図９において、光学センサ１６は、正常に積層された証書１０の計数マーク１１に対向した位置を矢印Ａ方向に移動する。したがって裏返しで積層されている証書１０の計数マーク１１に対しては光学センサ１６からの光は照射されない。
【００３９】
光学センサ１６から発せられる光はまず上部の反射板１３に照射され、反射板１３からの反射光が光学センサ１６の受光素子部１６ｂに受光される。このとき光学センサ１６から出力波形３３ａの出力信号が出力される。次に光学センサ１６から発せられる光は、積層されている最上部の証書１０に設けられた計数マーク１１に照射され、計数マーク１１からの反射光が受光素子部１６ｂに受光される。このとき光学センサ１６から出力波形３３ｂの出力信号が出力される。
【００４０】
次に光学センサ１６から発せられる光は、積層されている最上部の証書１０の素地部１０ａに照射され、素地部１０ａからの反射光が受光素子部１６ｂに受光される。このとき光学センサ１６から出力波形３３ｃの出力信号が出力される。光学センサ１６が矢印Ａ方向に移動するにつれて、光学センサ１６は出力波形３３ｂと出力波形３３ｃの交互出力を繰り返す。
【００４１】
光学センサ１６が裏返しの証書１０の位置に来ると、光学センサ１６は、計数マーク１１が無いために証書１０の素地部１０ａにおける出力レベルの波形３３ｅを２冊の証書分出力する。最後に光学センサ１６から発せられる光は媒体押さえ１４に設けられた反射板１５に照射され、反射板１５からの反射光が受光素子部１６ｂに受光される。このとき光学センサ１６から出力波形３３ｄの出力信号が出力される。
【００４２】
上述したように、制御部２９により、出力波形３３ｂの出力レベルと出力波形３３ｃの出力レベルとの間にスライスレベル３４を設定することにより、計数マーク１１を検出し、証書１０の枚数を計数する。また制御部２９は、出力波形３３ｃの出力レベルと出力波形３３ａ、３３ｄの出力レベルとの間にスライスレベル３５を設定する。そして制御部２９は、出力波形３３ｂから、計数マーク１１と次の計数マーク１１との間の最小の時間間隔３３ｆを求め、この時間間隔３３ｆの２倍した値とその他の計数マーク１１間の時間間隔３３ｇとを比較する。その結果、（その他の時間間隔３３ｇ）≧（時間間隔３３ｆの２倍）となっている場合は、正しい向きで積層されていない証書１０があると判定する。この場合、その他の時間間隔３３ｇがスライスレベル３５を超えていないことを条件とする。
【００４３】
このように正しい向きで積層されていない証書１０を検出することができるが、正しくない収納状態として、裏返しのほかに計数マーク１１が計数側の反対側になっている場合も検出可能である。
【００４４】
次に１つのカセット１２に他の種類の証書１０が紛れ込んでいる場合の計数方法について説明する。図１０は他の種類の証書が紛れ込んで積層されている証書を示す。図１０は、ある種類の証書１０Ａの中に他の種類の証書１０Ｂが紛れ込んでいる積層されている状態を示す。証書１０Ａには、計数側の端部に計数マーク１１Ａが施され、他の種類の証書１０Ｂには、計数側の中央部に係数マーク１１Ｂが施されている。
【００４５】
図１１は他の種類の証書が紛れ込んで積層されている場合で、証書１０Ａを計数する動作を示す動作説明図である。図１１において、光学センサ１６は、証書１０Ａの計数マーク１１Ａに対向した位置を矢印Ａ方向に移動する。したがって他の種類の証書１０Ｂの計数マーク１１Ｂに対しては光学センサ１６からの光は照射されない。
【００４６】
図１１において、光学センサ１６から発せられる光はまず上部の反射板１３に照射され、反射板１３からの反射光が光学センサ１６の受光素子部１６ｂに受光される。このとき光学センサ１６から出力波形３３ａの出力信号が出力される。次に光学センサ１６から発せられる光は、積層されている最上部の証書１０Ａに設けられた計数マーク１１Ａに照射され、計数マーク１１Ａからの反射光が受光素子部１６ｂに受光される。このとき光学センサ１６から出力波形３３ｂの出力信号が出力される。
【００４７】
次に光学センサ１６から発せられる光は、積層されている最上部の証書１０Ａの素地部１０Ａａに照射され、素地部１０Ａａからの反射光が受光素子部１６ｂに受光される。このとき光学センサ１６から出力波形３３ｃの出力信号が出力される。光学センサ１６が矢印Ａ方向に移動するにつれて、光学センサ１６は出力波形３３ｂと出力波形３３ｃの交互出力を繰り返す。
【００４８】
光学センサ１６が他の種類の証書１０Ｂの位置に来ると、光学センサ１６は、計数マーク１１Ａが無いために証書１０Ｂの素地部１０Ｂａにおける出力レベルの波形３３ｈを２冊の証書分出力する。最後に光学センサ１６から発せられる光は媒体押さえ１４に設けられた反射板１５に照射され、反射板１５からの反射光が受光素子部１６ｂに受光される。このとき光学センサ１６から出力波形３３ｄの出力信号が出力される。
【００４９】
上述したように、制御部２９により、出力波形３３ｂの出力レベルと出力波形３３ｃの出力レベルとの間にスライスレベル３４を設定することにより、計数マーク１１Ａを検出し、証書１０Ａの枚数を計数する。
【００５０】
図１２は証書１０Ｂを計数する動作を示す動作説明図である。図１２において、光学センサ１６は、図１１に示す位置に対して矢印Ｃ方向に移動され、証書１０Ｂの計数マーク１１Ｂに対向した位置を矢印Ａ方向に移動する。したがって他の種類の証書１０Ａの計数マーク１１Ａに対しては光学センサ１６からの光は照射されない。
【００５１】
図１２において、光学センサ１６から発せられる光はまず上部の反射板１３に照射され、反射板１３からの反射光が光学センサ１６の受光素子部１６ｂに受光される。このとき光学センサ１６から出力波形３３ａの出力信号が出力される。次に光学センサ１６から発せられる光は、積層されている最上部の証書１０Ａの素地部１０Ａａに照射され、素地部１０Ａａからの反射光が受光素子部１６ｂに受光される。このとき光学センサ１６から出力波形３３ｃの出力信号が出力される。証書１０Ａが連続するまでは、光学センサ１６は出力波形３３ｃの出力信号を出力する。
【００５２】
光学センサ１６が他の種類の証書１０Ｂの位置に来ると、光学センサ１６から発せられる光は計数マーク１１Ｂに照射され、計数マーク１１Ｂからの反射光が受光素子部１６ｂに受光される。このとき光学センサ１６から出力波形３３ｂの出力信号が出力される。
【００５３】
この後光学センサ１６から発せられる光は、他の種類の証書１０Ｂの素地部１０Ｂａに照射された後、再び証書１０Ａの素地部１０Ａａに照射され、光学センサ１６から出力波形３３ｃの出力信号が出力される。最後に光学センサ１６から発せられる光は媒体押さえ１４に設けられた反射板１５に照射され、反射板１５からの反射光が受光素子部１６ｂに受光される。このとき光学センサ１６から出力波形３３ｄの出力信号が出力される。
【００５４】
上述したように、制御部２９により、出力波形３３ｂの出力レベルと出力波形３３ｃの出力レベルとの間にスライスレベル３４を設定することにより、計数マーク１１Ａを検出し、証書１０Ｂの枚数を計数する。
【００５５】
上記実施の形態では証書１０の計数側の側面１０ｂの端部に計数マーク１１を設ける例を示したが、これに限らず計数マーク１１を設ける位置を側面１０ｂの積層方向の中央部にしてもよい。また上記実施の形態では計数マーク１１を証書１０の計数側の側面１０ｂにだけでなく、証書１０の上面および隣接する側面にも設けた例を示しているが、証書１０の上面または隣接する側面にも計数マーク１１を設けることにより、証書１０をオペレータが収納する際に証書１０の向きを揃え易いという利点がある。しかしながら必ずしも計数マーク１１を証書１０の上面または隣接側面に設ける必要は無い。
【００５６】
さらに、計数マーク１１を印刷又は塗布以外の方法で設けるようにしても良い。例えば、証書１１の特定箇所に特殊な処理を施し、光を照射しない場合には発色せず、光を照射すると発色し、その発色部分からの反射光による光学センサの出力レベルが、証書１１の素地部からの反射光による光学センサの出力レベルと容易に識別できるような領域を設けるようにしても良い。この場合、計数が可能であるだけでなく、識別領域を設けてあるか否かが分かるので異種の証書または偽の証書を検出することができる。
【００５７】
なお上記実施の形態では証書の枚数を計数する装置において説明したが、計数する媒体はこれに限られず、帳票等他の媒体を計数する装置にも本発明を適用可能であることはいうまでもない。
【図面の簡単な説明】
【００５８】
【図１】実施の形態の証書を示す斜視図である。
【図２】実施の形態の証書発行装置の要部を示す概略側面図である。
【図３】実施の形態の証書発行装置の概略構成を示すブロック図である。
【図４】実施の形態の動作を示すフローチャートである。
【図５】比較結果の表示例を示す説明図である。
【図６】比較結果表示例を示す説明図である。
【図７】計数結果の表示例を示す説明図である。
【図８】異常な収納状態の証書の集積状態を示す斜視図である。
【図９】異常な収納状態の証書を計数する動作を示す動作説明図である。
【図１０】他の種類の証書が紛れ込んで集積されている証書を示す説明図である。
【図１１】他の種類の証書が紛れ込んだ場合の証書の計数動作を示す動作説明図である。
【図１２】他の種類の証書が紛れ込んだ場合の証書の計数動作を示す動作説明図である。
【図１３】従来の媒体計数装置を示す説明図である。
【図１４】従来の計数方法を示す説明図である。
【符号の説明】
【００５９】
１０    証書
１１    計数マーク
１０ａ  素地部
１６    光学センサ
２０    証書発行装置
２９    制御部
【図１】
2007293712.tif 000003
【図２】
2007293712.tif 000004
【図３】
2007293712.tif 000005
【図４】
2007293712.tif 000006
【図５】
2007293712.tif 000007
【図６】
2007293712.tif 000008
【図７】
2007293712.tif 000009
【図８】
2007293712.tif 000010
【図９】
2007293712.tif 000011
【図１０】
2007293712.tif 000012
【図１１】
2007293712.tif 000013
【図１２】
2007293712.tif 000014
【図１３】
2007293712.tif 000015
【図１４】
2007293712.tif 000016